(57)【要約】【課題】記録媒体をプロモーション用商品として使用する際、より多くの消費者に受け入れられ易く工夫された記録媒体収納ケースを提供することを課題とする。【解決手段】盤状の記録媒体Ａの中心孔Ａ１を嵌着可能な複数の弾性起立片５３を備える記録媒体収納ケースであって、前記弾性起立片５３の端部に、中心方向に延設された舌片５５と、この舌片５５の端部から上方向に延設され且つ穴あき硬貨Ｂの中心孔Ｂ１を嵌着可能な爪片５６とが設けられている記録媒体収納ケースを解決手段とする。【選択図】      図３
2004238068.tif 000002
【特許請求の範囲】
【請求項１】
硬貨保持部（６）が設けられていることを特徴とする記録媒体収納ケース。
【請求項２】
前記硬貨保持部（６）に保持された硬貨（Ｂ）を、外部から視認できるように構成されている請求項１記載の記録媒体収納ケース。
【請求項３】
盤状の記録媒体（Ａ）の中心孔（Ａ１）を嵌着可能な複数の弾性起立片（５３）を備える記録媒体収納ケースであって、前記弾性起立片（５３）の端部に、中心方向に延設された舌片（５５）と、前記舌片（５５）の端部から上方向に延設され且つ穴あき硬貨（Ｂ）の中心孔（Ｂ１）を嵌着可能な爪片（５６）と、が設けられていることを特徴とする記録媒体収納ケース。
【請求項４】
ケース本体（２）と、前記ケース本体（２）に開閉可能に取付られた蓋体（３）と、前記ケース本体（２）に着脱可能に取り付けられ、且つ記録媒体を収納保持する中子体（５）と、を備える記録媒体収納ケースであって、前記ケース本体（２）の内面又は中子体（５）の内面に、硬貨保持部（６）が設けられており、前記硬貨保持部（６）に保持された硬貨（Ｂ）をケース本体（２）の外部又は中子体（５）の外部から視認できるように構成されていることを特徴とする記録媒体収納ケース。
【請求項５】
前記ケース本体（２）の内面又は中子体（５）の内面に、所定の広告が施された広告表示部（７）が設けられている請求項４記載の記録媒体収納ケース。
【発明の詳細な説明】
【０００１】
【発明の属する技術分野】
本発明は、コンパクトディスクなどの記録媒体収納ケースに関し、特に、記録媒体をプロモーション用商品として配布する際に適した記録媒体収納ケースに関する。
【０００２】
【特許文献１】
特開２００３−３４３８４公報
【０００３】
【従来の技術】
従来、コンパクトディスクなどの記録媒体を収納するケースとして、例えば、特開２００３−３４３８４公報記載のように、記録媒体を収納するケース本体と、このケース本体に開閉可能に取り付けられた蓋体と、を有する収納ケースが知られている。かかる収納ケースは、通常、透明なプラスチックからなり、蓋体の内側に、任意の表示の施された紙が挿入されている。
【０００４】
ところで、記録媒体は、ケースに挿入する紙又はケースの包装フィルムなどに企業や商品などの広告を表示して、これを不特定多数の消費者に無料配布するというプロモーション用商品として利用することができる。
このようなプロモーション用商品は、より多くの消費者に配布されなければ効果的とは言えないが、一般に、パソコンに興味がない者は、積極的に記録媒体を受け取らないことが多い。
一方、パソコンを使用する者であっても、面倒であったり、或いはウイルス感染などを恐れて配布される記録媒体を受け取らない場合があり、単に記録媒体を貰えるというだけでは、より多くの消費者が受け取ることを期待できない。
【０００５】
また、従来のケースに広告表示を行う際には、蓋体及びケース本体に広告が施された紙を挿入するか、或いはケースの包装フィルムに広告が施されるが、プロモーション用商品として使用される場合には、出来るだけ多くの箇所に広告を施し、且つそれを消費者に確実に見させるようにすることが求められる。
【０００６】
【発明が解決しようとする課題】
本発明は、記録媒体をプロモーション用商品として配布するにあたり、より多くの消費者が受け取ることを期待できる記録媒体収納ケースを提供することを第１の課題とし、更に、施された広告が消費者の目に留まるように工夫された記録媒体収納ケースを提供することを第２の課題とする。
【０００７】
【課題を解決するための手段】
そこで、本発明の第１の手段は、硬貨保持部６が設けられている記録媒体収納ケースを提供する。更に、この硬貨保持部６に保持された硬貨Ｂを外部から視認できるように構成されていることが好ましい。
【０００８】
上記記録媒体保持ケースは、ＣＤなどの記録媒体Ａと硬貨Ｂを収納して使用される。例えば、これをプロモーション用商品として無料配布する際には、消費者に、記録媒体Ａと硬貨Ｂが収納保持されていることを認識させることができる。
【０００９】
また、本発明の第２の手段は、盤状の記録媒体Ａの中心孔Ａ１を嵌着可能な複数の弾性起立片５３を備える記録媒体収納ケースであって、弾性起立片５３の端部に、中心方向に延設された舌片５５と、この舌片５５の端部から上方向に延設され且つ硬貨Ｂを嵌着可能な爪片５６とが設けられている記録媒体収納ケースを提供する。
【００１０】
上記収納ケースは、硬貨保持部６を構成する爪片５６が舌片を介して弾性起立片５３の端部から上向きに設けられているので、各爪片５６の上端面を押し下げれば、それに連動して各弾性起立片５３を中心部へと傾斜させることができる。よって、硬貨Ｂをはずした後、記録媒体Ａを簡易に取り外すことができる。
【００１１】
また、本発明の第３の手段は、ケース本体２と、前記ケース本体２に開閉可能に取付られた蓋体３と、前記ケース本体２に着脱可能に取り付けられ、且つ記録媒体を収納保持する中子体５と、を備える記録媒体収納ケースであって、前記ケース本体２の内面又は中子体５の内面に、硬貨保持部６が設けられており、前記硬貨保持部６に保持された硬貨Ｂをケース本体２の外部又は中子体５の外部から視認できるように構成されている記録媒体収納ケースを提供する。さらに、ケース本体２の内面又は中子体５の内面に、所定の広告が施された広告表示部７が設けられていることが好ましい。
【００１２】
かかる収納ケースは、硬貨保持部６が、ケース本体２の内面又は中子体５の内面に設けられているので、これに保持された硬貨Ｂを取り出す際には、中子体５をケース本体２から外さなくてはならならず、ケース本体２の内面又は中子体５の内面に施された広告表示部７を消費者に確実に見せることができる。
【００１３】
【発明の実施形態】
以下、本発明の実施形態について、図面を参照しつつ説明する。
＜第１実施形態＞
図１に示すように、記録媒体収納ケース１は、ケース本体２と、このケース本体２に開閉可能に取付けられた蓋体３と、ケース本体２内に着脱可能に取り付けられた記録媒体保持用の中子体５とを備え、中子体５の略中央部には、硬貨を保持する硬貨保持部６が設けられている。
【００１４】
具体的には、ケース本体２は、外部から内部を視認可能なように透明又は半透明なプラスチックで形成され、略長方形状の底板２１と、底板の対向する２辺にそれぞれ設けられた一対の左右側壁２２及び前後側壁２３とを有する。左右側壁２２の内面には、中子体５に係合する凹状の係合部２４が設けられている。また、左右側壁２２には、長手方向に所定間隔をおいて２箇所の切欠部２５がそれぞれ対向して形成されている。
【００１５】
蓋体３は、外部から内部を視認可能なように透明又は半透明なプラスチックで形成され、ケース本体２と略同形状の天板３１と、天板３１の対向する２辺に設けられた一対の左右側壁３２とを有し、この左右側壁３２の端部がケース本体２の端部に回転自在に連結されている。また、蓋体３の左右側壁３２の内面には、長手方向に所定間隔をおいて２箇所の支持部３３がそれぞれ対向して突設されている。この支持部３３と天板３１の間に、両面に広告などの表示が施された広告表示部７を有するシート８（紙やプラスチックシートなど）が挿入支持されている。このシート７は、天板３１と略同形状であって、硬貨保持部６に保持された硬貨を蓋体３を通じて外部から視認できるように、中央部（後述する中子体に設けられた硬貨保持部に対応する部分）に円状などの所定形状に切り欠かれた窓部８１が形成されている。
【００１６】
中子体５は、ケース本体２の底板２１と略同形状の板状体からなり、透明でないプラスチックで形成されている。その板状体の外面には、円盤状の記録媒体を収納する凹状の収納部５１が形成されている。この凹状の収納部５１の略中心部には、図２及び図３にも示すように、収納される記録媒体Ａの記録面が収納部５１外面に接触しないように、円形状の載置部５２が突設されている。更に、この記録媒体用の載置部５２の中央部には、記録媒体Ａの中心孔Ａ１に内接する複数の弾性起立片５３が放射状に突設されており、この複数の弾性起立片５３の集合体（記録媒体保持部５４）に、記録媒体Ａの中心孔Ａ１が嵌着可能である。
【００１７】
さらに、各弾性起立片５３の上端部には、中心部方向に且つ水平に延設された舌片５５が形成されており、更に、この舌片５５の先端部には、上方向に延設され且つ穴あき硬貨Ｂの中心孔Ｂ１に内接する爪片５６が形成されている。この複数の舌片５６の集合体（硬貨保持部６）に、５円玉などの穴あき硬貨Ｂの中心孔Ｂ１が嵌着可能である。尚、５８は、蓋体３の支持部３３が嵌り込む凹部である。
【００１８】
上記構成からなる収納ケース１は、図３に示すように、収納部５１に記録媒体としてコンパクトディスクＡを収納し、硬貨保持部６に５円玉などの穴あき硬貨Ｂを保持した記録媒体包装体１０として使用できる。また、必要に応じてこれを包装フィルムで包装してもよい。
そして、この包装体１０は、例えば、消費者に無料で配布するという広告宣伝方法に使用することができ、これを受け取った消費者は、記録媒体に自らのデータを保存して自由に使用することができる。
かかる収納ケース１は、蓋体３の外部から窓部８１を通じて、収納された硬貨Ｂを視認することができる。よって、これをプロモーション用商品として無料で配布する際、消費者に、硬貨Ｂが収納されていることを認識させることができるので、記録媒体Ａのみが収納された従来品に比して、消費者が受け取る確率を高めることができる。
また、硬貨保持部６を構成する爪片５６は、弾性起立片５３の端部から上向きに一体的に形成されているので、硬貨Ｂを取り外した後、図４に示すように、各爪片５６の上端面を押し下げれば、それに連動して各弾性起立片５３を中心部へと傾斜させることができる。よって、記録媒体Ａを簡易に取り外すことができる。
【００１９】
尚、第１実施形態に於いて、硬貨保持部６は、記録媒体保持部５４の上方に且つ一体的に設けられているが、硬貨保持部６が設けられる箇所はこれに限定されず、例えば、図５に示すように、蓋体３の内面に硬貨保持部６が設けられていてもよい。また、特に図示しないが、中子体５の中心部以外の箇所やケース本体２に設けられていてもよい。また、硬貨保持部６は、硬貨Ｂの中心孔Ｂ１を保持する構成に限られず、図５に示すように硬貨Ｂの外周部を掛止可能な複数の爪片５６で構成されていてもよい。
【００２０】
また、第１実施形態に於いては、中子体５を有する収納ケース１について例示したが、蓋体とケース本体のみを備える記録媒体収納ケースや、その他従来公知の各種の記録媒体収納ケースの適宜箇所に硬貨保持部６を設けてもよい。
【００２１】
＜第２実施形態＞
本実施形態は、中子体の内面又はケース本体の内面に硬貨保持部が設けられている収納ケースについて説明する。第１実施形態と同様の構成については、適宜説明を省略し、用語・図番を援用する。
図６に示すように、収納ケース１は、中子体５の載置部の内面側に、硬貨の外周部を嵌着可能な複数の爪片５６（硬貨保持部６）が設けられている。
さらに、中子体５とケース本体２の間には、両面に所定の広告が表示された広告表示部７が施されたシート８が挿入されており、蓋体３に挿入されたシート８と同様に、中央部に窓部８１が形成されている。さらに、中子体５の内面に、シール貼付、直接印刷などの手段により、広告表示部７を設けてもよい。
【００２２】
かかるケース１は、透明な蓋体３及びケース本体２の外部から、収納された硬貨Ｂを視認させることができるので、上記第１実施形態と同様により多くの消費者が受け取ることを期待できる。
また、ケース本体２と中子体５の間に広告表示部７を有するシート８が挿入され、中子体５の内面にも広告表示部７が設けられているので、より多くの部分に広告が施されているものである。そして、硬貨Ｂは中子体５の内側に保持されているので、消費者が、これを取り出そうとすると、中子体５をケース本体２から外さなくてはならならず、従って、挿入されたシート８の内面や中子体５の内面に施された広告を、消費者に確実に見せることができる。
このように本発明の収納ケース１は、より多くの部分に広告を施し、且つそれを消費者に見させるように工夫しているので、プロモーション用商品として、より実効を図ることができる。
【００２３】
上記第２実施形態では、中子体５の内面に硬貨保持部６が設けられているが、例えば、ケース本体２の内面に設けられていてもよい。また、硬貨保持部６は、中子体５又はケース本体２の内面中央部に設けられている構造に限られず、中央部以外の箇所に設けられていてもよい。
また、硬貨保持部６は、硬貨Ｂの外周部を保持する構成のものに限られず、穴あき硬貨Ｂの中心孔Ｂ１を保持するような構造でもよい。
【００２４】
＜他の実施形態＞
上記各実施形態では、硬貨保持部６は、中子体５、蓋体３の内面、或いはケース本体２の内面に設けられているが、蓋体３の外面又はケース本体２の外面、挿入されるシート８などのその他の箇所設けられていてもよい。また、硬貨保持部６が複数設けられていてもよい。
また、硬貨保持部６は、硬貨Ｂの外周部又は中心孔を嵌着保持する構成であったが、硬貨保持部６の構成はこれに限られず、例えば、ケース１を構成する適宜箇所に硬貨貼付用の粘着剤を塗布した硬貨保持部６や、硬貨の一部が挿入されるポケット状に形成された硬貨保持部６などでもよい。
【００２５】
また、上記各実施形態では、記録媒体としてコンパクトディスク（ＣＤ−ＲＯＭ、ＣＤ−Ｒ、ＣＤ−ＲＷなど）を収納するケースを例示したが、その他、デジタルビデオディスク（ＤＶＤ−ＲＯＭ、ＤＶＤ−Ｒ、ＤＶＤ−ＲＷ、ＤＶＤ＋Ｒ、ＤＶＤ−ＲＷなど）、フレキシブルディスク（ＦＤ）、光ディスク（ＭＯ）、ミニディスク（ＭＤ）、ビデオテープなどの各種記録媒体を収納するケースに本発明を適用することができる。さらに、上記実施形態では、コンパクトディスクとして円盤状のものが例示されているが、記録媒体の形状は特に限定されず、例えば、四角形状（カード型）のものを収納するケースに本発明を適用することができる。
【００２６】
また、上記各実施形態に於いては、広告を表示する手段として、印刷などで所定の広告が表示されたシート８を利用しているが、例えば、蓋体３やケース本体２などに直接シール貼付、印刷などの手段により、広告表示部７を設けてもよい。
【００２７】
【発明の効果】
以上の通り、本発明の記録媒体収納ケースによれば、消費者に、記録媒体と硬貨とが収納されていることを認識させることができるので、例えば、これをプロモーション用商品として無料配布すれば、従来品に比して、消費者が受け取る確率を高めることができる。
【００２８】
さらに、硬貨保持部が弾性起立片の端部から上向きに設けられた爪片を備える収納ケースに於いては、各爪片の上端面を押し下げれば、それに連動して各弾性起立片を中心部へと傾斜させることができる。よって、硬貨を外した後、記録媒体を簡易に取り外すことができるという効果も奏する。
【００２９】
また、硬貨保持部が、ケース本体の内面又は中子体の内面に設けられた収納ケースは、中子体をケース本体から外して硬貨を取り出すため、このケース本体の内面又は／及び中子体の内面に施された広告表示部を消費者に確実に見せることができる。
このように本発明の収納ケースは、より多くの部分に広告を施し、それを消費者の目に確実に留まるように工夫されているので、プロモーション用商品としての実効を図ることができる。
【図面の簡単な説明】
【図１】本発明の記録媒体収納ケースを示す分解斜視図。
【図２】中子体の要部であって、載置部、記録媒体保持部及び硬貨保持部を示す拡大斜視図。
【図３】収納ケースに記録媒体と硬貨が収納された包装体を示す端面図であって、ケース本体の中心部を含む縦線で切断した一部省略端面図。尚、硬貨と記録媒体を二点鎖線で示す（図４〜６についても同じ）。
【図４】収納ケースから記録媒体を取り出す際の使用例を示す端面図であって、中心部を含む縦線で切断した一部省略端面図。
【図５】他の実施形態を示す端面図であって、中心部を含む縦線で切断した一部省略端面図。
【図６】他の実施形態を示す端面図であって、中心部を含む縦線で切断した一部省略端面図。
【符号の説明】
１…記録媒体収納ケース、２…ケース本体、３…蓋体、５…中子体、６…硬貨保持部、７…広告表示部、８…シート、５３…弾性起立片、５４…記録媒体保持部、５５…舌片、５６…爪片、８１…窓部、１０…記録媒体包装体、Ａ…記録媒体、Ａ１…記録媒体の中心孔、Ｂ…硬貨、Ｂ１…穴あき硬貨の中心孔
【図１】
2004238068.tif 000003
【図２】
2004238068.tif 000004
【図３】
2004238068.tif 000005
【図４】
2004238068.tif 000006
【図５】
2004238068.tif 000007
【図６】
2004238068.tif 000008